(57)【特許請求の範囲】
【請求項１】
ショーケース本体に蛍光灯の中継ソケットを設け、この中継ソケットに電源線を接続すると共に、前記中継ソケットに離脱自在に中継プラグを設け、この中継プラグに蛍光灯線を接続し、この蛍光灯線を蛍光灯ソケットに接続して点灯回路を構成し、この点灯回路に含まれる蛍光灯点灯用の共振コンデンサをコンデンサ収納箱に収納して、このコンデンサ収納箱をショーケース本体の商品陳列棚にねじを介して固定し、
前記電源線および前記蛍光灯線にそれぞれアース線を含ませ、前記コンデンサ収容箱の外側には前記ねじのねじ孔の近傍であってねじ頭側に一対のアース線挟持部を突設し、前記蛍光灯線のアース線を前記コンデンサ収容箱の外側に配置するとともに、そのアース端子が前記ねじのねじ頭部分に接触するように前記アース線挟持部に挟持させた状態で、前記蛍光灯のアース線を、前記商品陳列棚に前記ねじを介して前記コンデンサ収納箱と一体に接続したことを特徴とする低温ショーケースの棚接地装置。
【請求項２】
ショーケース本体に蛍光灯の中継ソケットを設け、この中継ソケットに電源線を接続すると共に、前記中継ソケットに離脱自在に中継プラグを設け、この中継プラグに蛍光灯線を接続し、この蛍光灯線を蛍光灯ソケットに接続して点灯回路を構成し、この点灯回路に含まれる蛍光灯点灯用の共振コンデンサをコンデンサ収納箱に収納して、このコンデンサ収納箱をショーケース本体の商品陳列棚にねじを介して固定し、
前記電源線および前記蛍光灯線にそれぞれアース線を含ませ、
前記コンデンサ収容箱の下蓋に前記ねじのねじ孔を設けるとともに、前記コンデンサ収容箱の上蓋に前記ねじのねじ頭が挿入される挿入孔を設け、
前記上蓋と前記下蓋との間であって、前記ねじのねじ頭部分にアース端子が接触するように、前記アース端子を前記ねじ孔の近傍に、前記挿入孔を介して外部に露出するように配設した状態で、前記コンデンサ収容箱の内側に前記蛍光灯線のアース線を一体的に収容し、
前記挿入孔および前記ねじ孔に前記ねじを挿入して、前記蛍光灯線のアース線を、前記商品陳列棚に前記ねじを介して前記コンデンサ収容箱と一体に接続したことを特徴とする低温ショーケースの棚接地装置。
【発明の詳細な説明】
【０００１】
【発明の属する技術分野】
本発明は、商品陳列棚を備えた低温ショーケースの棚接地装置に関する。
【０００２】
【従来の技術】
一般に、ショーケース本体に蛍光灯の中継ソケットを設け、この中継ソケットに電源線を接続すると共に、前記中継ソケットに離脱自在に中継プラグを設け、この中継プラグに蛍光灯線を接続し、この蛍光灯線を蛍光灯ソケットに接続して点灯回路を構成し、この点灯回路に含まれる蛍光灯点灯用の共振コンデンサをコンデンサ収納箱に収納して、このコンデンサ収納箱をショーケース本体の商品陳列棚にねじを介して固定した低温ショーケースが知られている。
【０００３】
【発明が解決しようとする課題】
しかしながら、上述の低温ショーケースでは、商品陳列棚はアースされていなかったので、例えば結露水等の影響で商品陳列棚の裏面に設けられた蛍光灯から商品陳列棚に漏電する虞があり、この漏電に対処するために商品陳列棚をアースする場合には、ねじ等のアース線用止め具を用いてアース線を商品陳列棚に接続しなければならず手間がかかるという問題がある。
【０００４】
本発明の目的は、上述した従来の技術が有する課題を解消し、商品陳列棚にアース線を容易に接続できる低温ショーケースの棚接地装置を提供することにある。
【０００５】
【課題を解決するための手段】
請求項１記載の発明は、ショーケース本体に蛍光灯の中継ソケットを設け、この中継ソケットに電源線を接続すると共に、前記中継ソケットに離脱自在に中継プラグを設け、この中継プラグに蛍光灯線を接続し、この蛍光灯線を蛍光灯ソケットに接続して点灯回路を構成し、この点灯回路に含まれる蛍光灯点灯用の共振コンデンサをコンデンサ収納箱に収納して、このコンデンサ収納箱をショーケース本体の商品陳列棚にねじを介して固定し、前記電源線および前記蛍光灯線にそれぞれアース線を含ませ、前記コンデンサ収容箱の外側には前記ねじのねじ孔の近傍であってねじ頭側に一対のアース線挟持部を突設し、前記蛍光灯線のアース線を前記コンデンサ収容箱の外側に配置するとともに、そのアース端子が前記ねじのねじ頭部分に接触するように前記アース線挟持部に挟持させた状態で、前記蛍光灯のアース線を、前記商品陳列棚に前記ねじを介して前記コンデンサ収納箱と一体に接続したことを特徴とするものである。
【０００６】
商品陳列棚にコンデンサ収納箱を固定するねじにアース線を接続したので、アース線を止めるためのアース線用止め具とこの止め具を止める作業が不要となり、部品点数及び組立工数を減少させることができる。
【０００８】
また、コンデンサ収容箱にはねじのねじ孔の近傍に一対のアース線挟持部を突設したので、嵌め込まれたアース線はアース線挟持部によって抜けにくくなる。
【０００９】
請求項２記載の発明は、ショーケース本体に蛍光灯の中継ソケットを設け、この中継ソケットに電源線を接続すると共に、前記中継ソケットに離脱自在に中継プラグを設け、この中継プラグに蛍光灯線を接続し、この蛍光灯線を蛍光灯ソケットに接続して点灯回路を構成し、この点灯回路に含まれる蛍光灯点灯用の共振コンデンサをコンデンサ収納箱に収納して、このコンデンサ収納箱をショーケース本体の商品陳列棚にねじを介して固定し、前記電源線および前記蛍光灯線にそれぞれアース線を含ませ、前記コンデンサ収容箱の下蓋に前記ねじのねじ孔を設けるとともに、前記コンデンサ収容箱の上蓋に前記ねじのねじ頭が挿入される挿入孔を設け、前記上蓋と前記下蓋との間であって、前記ねじのねじ頭部分にアース端子が接触するように、前記アース端子を前記ねじ孔の近傍に、前記挿入孔を介して外部に露出するように配設した状態で、前記コンデンサ収容箱の内側に前記蛍光灯線のアース線を一体的に収容し、前記挿入孔および前記ねじ孔に前記ねじを挿入して、前記蛍光灯線のアース線を、前記商品陳列棚に前記ねじを介して前記コンデンサ収容箱と一体に接続したことを特徴とするものである。
【００１０】
商品陳列棚にコンデンサ収容箱を固定するねじにアース線を接続したので、アース線を止めるためのアース線止め具とこの止め具を止める作業が不要となり、部品点数及び組立工数を減少させることができるとともに、アース線をコンデンサ収容箱の内側に一体的に収納したので、コンデンサ収容箱の美観が向上する。
【００１１】
【発明の実施の形態】
以下、本発明の一実施形態を図面に基づいて説明する。
【００１２】
図１において、符号Ｓは低温ショーケースを示し、この低温ショーケースＳのショーケース本体１は断熱箱体２を備え、この断熱箱体２の内部には底壁４で仕切られた冷気通路３ａ及び内背壁５で仕切られた冷気通路３ｂが設けられている。冷気通路３ａ、３ｂには冷却器用送風機６、冷却器７等が設けられ、冷却運転時には、冷却器用送風機６が駆動されて冷気が矢印方向に循環する。
【００１３】
すなわち、断熱箱体２の内部には貯蔵室１１が形成され、この貯蔵室１１の冷気は、吸込口８を介して冷気通路３に移動し、冷却器用送風機６に吸い込まれた後、冷却器７で冷却され、上昇した後、吹出口９から下降すると共に貯蔵室１１を冷却し、吸込口８を介して再び冷気通路３に戻る。
【００１４】
貯蔵室１１には３段の商品陳列棚１２が設けられ、各商品陳列棚１２の裏面には貯蔵室１１を照明する蛍光灯１３が設けられている。
【００１５】
ショーケース本体１の内背壁５には蛍光灯１３の中継ソケット３１が設けられ、この中継ソケット３１からは一対の電源線３２とアース線３３とが延び、電源線３２の途中には電子安定器３４が接続され、電源線３２とアース線３３とで構成される電源コード３５としてショーケース本体１の外部に延び、その先には電源プラグ３６が接続されている。
【００１６】
前記中継ソケット３１には、図２に示すように、中継プラグ４１が着脱自在に設けられる。この中継プラグ４１からは前記一対の電源線３２に接続される一対の蛍光灯線４２と前記アース線３３に接続されるアース線４３とが延び、これらは商品陳列棚１２の断面略Ｖ字形の補強板１４に取り付けられたコンデンサ収納箱１５に導入される。
【００１７】
このコンデンサ収納箱１５は、図３Ｂに示すように、樹脂製の上蓋２１と樹脂製の下蓋２２とを備え、これら上蓋２１と下蓋２２との間には、図３Ａに示すように、蛍光灯点灯用の共振コンデンサ２３が高い絶縁性を持って収納される。また、コンデンサ収納箱１５のほぼ中央には該コンデンサ収納箱１５を固定するためのねじ孔２４が設けられる。符号２５は位置決め用のだぼである。
【００１８】
前記蛍光灯線４２は、コンデンサ収納箱１５に形成されたリード線孔４９を通じて、コンデンサ収納箱１５の内部を経由して再び外部に導出され、図２に示すように、一対の蛍光灯線４２は前記蛍光灯１３の両端に設置される一対の蛍光灯ソケット５０のそれぞれに接続される。また、各蛍光灯ソケット５０からはコンデンサ線４５が延び、各コンデンサ線４５は、図３Ａに示すように、リード線孔４９を通じてコンデンサ収納箱１５の内部に導かれて共振コンデンサ２３に接続される。尚、前述の電子安定器３４、共振コンデンサ２３等により、蛍光灯１３の点灯回路が構成されている。
【００１９】
本実施形態では、前記中継プラグ４１から前記蛍光灯線４２と共に延びるアース線４３がコンデンサ収納箱１５の外側に導かれる。このアース線４３の端部には、端子孔５２を有するワッシャ形のアース端子４７が設けられ、このアース端子４７は、図４に示すように、商品陳列棚１２の補強板１４に固定ねじ５３を介して接続される。
【００２０】
コンデンサ収納箱１５を商品陳列棚１２の補強板１４に固定するときには、だぼ２５を補強板１４のだぼ孔５１に嵌合させた後、固定ねじ５３をアース端子４７の端子孔５２とコンデンサ収納箱１５のねじ孔２４とに挿入し、固定ねじ５３を補強板１４に対して締め付ける。このとき、前記アース線４３は、アース端子４７、固定ねじ５３を介して、商品陳列棚１２の補強板１４にコンデンサ収納箱１５と一体に接続され、商品陳列棚１２はアースされた状態となる。
【００２１】
また、コンデンサ収納箱１５のねじ孔２４の近傍に、図３Ａ及び３Ｂにも示すように、フック５５を有する一対のアース線挟持部５４が突設され、この一対のアース線挟持部５４にアース線４３が嵌め込まれる。嵌め込まれたアース線４３はアース線挟持部５４のフック５５によって抜けにくくなる。
【００２２】
図５及び図６に別の実施形態を示す。
【００２３】
符号６１はコンデンサ収納箱を示し、このコンデンサ収納箱６１は、図５Ｂに示すように樹脂製の上蓋６２及び樹脂製の下蓋６３を備え、これら上蓋６２と下蓋６３との間に形成されたアース線用のリード線孔７２を通じて、図５Ａに示すようにアース線４３がコンデンサ収納箱６１の内部に導かれ、このアース線４３の端部に設けられたワッシャ形状のアース端子４７がコンデンサ収納箱６１の内側に一体的に収納される。尚、図５Ｂに示すように、上蓋６２のねじ孔６７ａの直径は下蓋６３のねじ孔６７ｂの直径よりも大きく形成される。
【００２４】
コンデンサ収納箱６１を商品陳列棚１２の補強板１４に固定するときには、図６に示すように、だぼ６９を補強板１４のだぼ孔５１に嵌合させた後、固定ねじ７０を上蓋６２のねじ孔６７ａとアース端子４７の端子孔５２と下蓋６３のねじ孔６７ｂとに挿入し、固定ねじ５３を補強板１４に対して締め付ける。このとき、前記アース線４３は、アース端子４７、固定ねじ７０を介して、商品陳列棚１２の補強板１４にコンデンサ収納箱６１と一体に接続され、商品陳列棚１２はアースされた状態となる。尚、固定ねじ７０の頭部は上蓋６２のねじ孔６７ａに収納される。
【００２５】
この別の実施形態では、アース線４６をコンデンサ収納箱６１の内側に導き、アース線４６のアース端子４７を一体的に収納したので、コンデンサ収納箱６１の美観が向上する。
【００２６】
上述した２つの実施形態では、商品陳列棚１２にコンデンサ収納箱１５、６１を固定する固定ねじ５３、７０にアース線４３のアース端子４７を接続したので、アース線４３のアース端子４７を止めるためのアース線用止め具とこの止め具を止める作業が不要となり、部品点数及び組立工数を減少させることができる。
【００２７】
また、アース線４３は蛍光灯線４３と共に棚裏のコンデンサ収納箱１５又は６１に導かれるので、棚裏の配線を簡略化でき、棚裏の配線の美観が向上する。
【００２８】
以上、２つの実施形態に基づいて本発明を説明したが、本発明はこれに限定されるものではない。
【００２９】
【発明の効果】
請求項１記載の発明によれば、商品陳列棚にコンデンサ収納箱を固定するねじにアース線を接続したので、アース線を止めるためのアース線用の止め具とこの止め具を止める作業が不要となり、部品点数及び組立工数を減少させることができる。
【００３０】
また、請求項１記載の発明によれば、コンデンサ収容箱にはねじのねじ孔近傍に一対のアース線挟持部を突設したので、嵌め込まれたアース線はアース線挟持部によって抜けにくくなる。
【００３１】
請求項２記載の発明によれば、商品陳列棚にコンデンサ収容箱を固定するねじにアース線を接続したので、アース線を止めるためのアース線止め具とこの止め具を止める作業が不要となり、部品点数及び組立工数を減少させることができるとともに、アース線をコンデンサ収容箱の内側に一体的に収納したので、コンデンサ収容箱の美観が向上する。
【図面の簡単な説明】
【図１】低温ショーケースを示す斜視図である。
【図２】商品陳列棚の裏面の配線構造を示す図である。
【図３】コンデンサ収納箱を示し、（Ａ）は平面図、（Ｂ）は配線導入側側面図である。
【図４】補強板に取り付けられたコンデンサ収納箱を示す側面図である。
【図５】別の実施形態によるコンデンサ収納箱を示し、（Ａ）は平面図、（Ｂ）は配線導入側側面図である。
【図６】別の実施形態による補強板に取り付けられたコンデンサ収納箱を示す側面図である。
【符号の説明】
Ｓ  低温ショーケース
１  ショーケース本体
１２  商品陳列棚
１３  蛍光灯
１５、６１  コンデンサ収納箱
２３  共振コンデンサ
３１  中継ソケット
３２  電源線
３３、４３  アース線
４１  中継プラグ
４２  蛍光灯線
４７  アース端子
５０  蛍光灯ソケット
５３  固定ねじ
５４  アース線挟持部
【図１】
0003869574.tif 000002
【図２】
0003869574.tif 000003
【図３】
0003869574.tif 000004
【図４】
0003869574.tif 000005
【図５】
0003869574.tif 000006
【図６】
0003869574.tif 000007